(57)【要約】      （修正有）【課題】ポイントツーポイントファイル伝送装置及びそのファイルの伝送方法を提供する。【解決手段】ファイル伝送装置は、一つの第一ＵＳＢ接続ユニット、第二ＵＳＢ接続ユニット、少なくとも一つのマイクロプロセッシングユニットとネットワーク伝送応用プログラムとを備える。第一ＵＳＢ接続ユニットは第一主コンピュータに接続され、第二ＵＳＢ接続ユニットは第二主コンピュータに接続され、ネットワーク伝送応用プログラムは第一主コンピュータと第二主コンピュータにそれぞれ導入される。ネットワーク伝送応用プログラムを介して、ファイル共有とデータ交換の伝送チャンネルを第一主コンピュータと第二主コンピュータとの間に構築され、ネットワーク伝送応用プログラムが実行されると、ネットワーク伝送チャンネルを介して、第一主コンピュータと第二主コンピュータとの間でファイル共有とデータ交換することができる。【選択図】図３
2012155585.tif 000002
【特許請求の範囲】
【請求項１】
第一表示装置２１と第一操作装置２２を備える前記第一主コンピュータ２に電気的に接続される少なくとも一つの第一ＵＳＢ接続ユニット１１と、
第二表示装置３１と第二操作装置３２を備える前記第二主コンピュータ３に電気的に接続される少なくとも一つの第二ＵＳＢ接続ユニット１２と、
前記第一ＵＳＢ接続ユニット１１と前記第二ＵＳＢ接続ユニット１２に連結される少なくとも一つのマイクロプロセッシングユニット１３と、
それぞれ前記第一主コンピュータと前記第二主コンピュータに導入されるネットワーク伝送応用プログラムＡＰとを備え、前記ネットワーク伝送応用プログラムにより、ファイル共有とデータ交換のネットワーク伝送チャンネルが前記第一主コンピュータ２と前記第二主コンピュータ３との間に構築され、使用者は前記ネットワーク伝送チャンネルにより、前記第一主コンピュータ２に格納されたファイルとデータを前記第二主コンピュータ３に移動またはコピーすることができるほか、前記第二主コンピュータ３に格納されたファイルとデータを前記第一主コンピュータ２に移動またはコピーすることができ、
前記ネットワーク伝送応用プログラムより設定された前記ネットワーク伝送チャンネルに特定なネットワーク通信ポートを有し、前記特定なネットワーク通信ポートに特定なコードを有し、よって、前記ネットワーク伝送応用プログラムを導入された前記第一主コンピュータ２と前記第二主コンピュータ３以外、外部の主コンピュータは前記ネットワーク通信ポートよりファイルを前記第一主コンピュータ２または前記第二主コンピュータ３に移動またはコピーすることはできないことを特徴とする第一主コンピュータ２と第二主コンピュータ３に接続可能な特徴を有する、ポイントツーポイントファイル伝送装置。
【請求項２】
前記ネットワーク通信ポートのコードは１から６５５３５の間であることを特徴とする請求項１記載のポイントツーポイントファイル伝送装置。
【請求項３】
前記ネットワーク伝送応用プログラムＡＰを導入された前記第一主コンピュータ２と前記第二主コンピュータ３を起動されると、前記ネットワーク伝送応用プログラムＡＰは自動に前記第一主コンピュータ２と前記第二主コンピュータ３のネットワークアドレス（ＩＰ）とネットワーク通信ポートのコードをアクセスされることを特徴とする請求項２記載のポイントツーポイントファイル伝送装置。
【請求項４】
使用者は前記第一主コンピュータ２を使用するときは、前記第一操作装置２２を利用しドラグ方式により、前記第一表示装置２１から移動またはコピーされるファイルを前記第一表示装置２１画面の域外にドラグすることにより、ファイルを前記第二主コンピュータ３に移動またはコピーできることを特徴とする請求項１記載のポイントツーポイントファイル伝送装置。
【請求項５】
使用者は前記第一主コンピュータ２を使用するときは、前記ネットワーク伝送応用プログラムＡＰを利用し、前記第一表示装置２１の画面より前記第二主コンピュータ３既設のデスクトップウインドウを開き、前記第一主コンピュータ２に格納されたファイルとデータを前記既設のデスクトップウインドウに移動またはコピーすることにより、係るファイルは前記第二主コンピュータ３に移動またはコピーできることを特徴とする請求項１記載のポイントツーポイントファイル伝送装置。
【請求項６】
使用者は前記第一主コンピュータ２を使用するときは、前記ネットワーク伝送応用プログラムＡＰを利用し、前記第一表示装置２１の画面より前記第二主コンピュータ３のファイルマネージャウインドウを開き、前記第一主コンピュータ２に格納されたファイルとデータをファイルマネージャウインドウに移動またはコピーすることにより、係るファイルを前記第二主コンピュータ３に移動またはコピーできることを特徴とする請求項１記載のポイントツーポイントファイル伝送装置。
【請求項７】
使用者は前記第二主コンピュータ３を使用するときは、前記第二操作装置３２を利用し前記第二表示装置３１からドラグ方式により、移動またはコピーされるファイルを前記第二表示装置３１画面の域外にドラグすることにより、係るファイルを前記第一主コンピュータ２に移動またはコピーできることを特徴とする請求項１記載のポイントツーポイントファイル伝送装置。
【請求項８】
使用者は前記第二主コンピュータ２を使用するときは、前記ネットワーク伝送応用プログラムＡＰを利用し、前記第二表示装置３１の画面より前記第一主コンピュータ２既設のデスクトップウインドウを開き、前記第二主コンピュータ３に格納されたファイルとデータを既設のデスクトップウインドウに移動またはコピーすることにより、係るファイルを前記第一主コンピュータ２に移動またはコピーできることを特徴とする請求項１記載のポイントツーポイントファイル伝送装置。
【請求項９】
使用者は前記第一主コンピュータ２を使用するときは、前記ネットワーク伝送応用プログラムＡＰを利用し、前記第二表示装置３１の画面より前記第一主コンピュータ２のファイルマネージャウインドウを開き、前記第一主コンピュータ２に格納されたファイルとデータをファイルマネージャウインドウに移動またはコピーすることにより、係るファイルを前記第一主コンピュータ２に移動またはコピーすることができることを特徴とする請求項１記載のポイントツーポイントファイル伝送装置。
【請求項１０】
前記第一主コンピュータはデスクトップ主コンピュータ、ノートブックコンピュータまたはサブノードブックコンピュータであることを特徴とする請求項１記載のポイントツーポイントファイル伝送装置。
【請求項１１】
前記第二主コンピュータはデスクトップ主コンピュータ、ノートブックコンピュータまたはサブノードブックコンピュータであることを特徴とする請求項１記載のポイントツーポイントファイル伝送装置。
【請求項１２】
それぞれ前記第一主コンピュータ２と前記第二主コンピュータ３に導入されるネットワーク伝送応用プログラムＡＰを備え、前記ネットワーク伝送応用プログラムＡＰにより、ファイル共有とデータ交換のネットワーク通信チャンネルを前記第一主コンピュータ２と前記第二主コンピュータ３との間に構築することができ、
第一表示装置２１と第一操作装置２２を備える第一主コンピュータ２に電気的に接続される少なくとも一つの第一接続モジュール１０を備え、前記第一接続モジュール１０は前記第一主コンピュータ２に格納されたファイルとデータはネットワーク伝送チャンネルを介して、無線通信方式により伝送され、前記第一接続モジュール１０は、
前記第一主コンピュータ２に電気的に接続され、前記第一主コンピュータ２が伝送されるファイルを受信する第一ＵＳＢ接続ユニット１０１と、
前記第一ＵＳＢ接続ユニット１０１に連結される第一マイクロプロセッシングユニット１０２と、
前記第一マイクロプロセッシングユニット１０２に連結される第一無線伝送ユニット１０３と、前記第一マイクロプロセッシングユニット１０２より前記第一主コンピュータ２が伝送されるファイルを前記第一無線伝送ユニット１０３に転送され、前記第一無線伝送ユニット１０３を利用し無線通信方式により、係るファイルを伝送し、
第二表示装置３１と第二操作装置３２を備える前記第二主コンピュータ３に電気的に接続され、無線伝送方式により前記第一接続モジュール１０から伝送されるファイルを受信する少なくとも一つの第二接続モジュール２０は、
前記第二主コンピュータ３に電気的に接続される第二ＵＳＢ接続ユニット２０３と、
前記第二ＵＳＢ接続ユニット２０２に連結される第二マイクロプロセッシングユニット２０３と、
前記第二マイクロプロセッシングユニット２０２に連結される第二無線伝送ユニット２０１と、を備え、
前記第二無線伝送ユニット２０１は無線伝送方式により前記第一無線伝送ユニット１０３より伝送されるファイルを受信し、係るファイルを前記第二マイクロプロセッシングユニット２０２に転送し、前記第二マイクロプロセッシングユニット２０２は前記第二ＵＳＢ接続ユニット２０３を介して、係るファイルを前記第二主コンピュータ３に伝送させ、
前記ネットワーク伝送チャンネルはさらに、特定なネットワーク通信ポ―トを有し、前記ネットワーク通信ポートに特定なコードを備え、前記第一主コンピュータ２と前記第二主コンピュータ３を起動されると、前記ネットワーク伝送応用プログラムＡＰは第一主コンピュータ２と第二主コンピュータ３のネットワークアドレスとネットワーク通信ポートのコードを自動にアクセスすることにより、前記ネットワーク伝送チャンネルは第一主コンピュータ２と第二主コンピュータ３との間に構築され、第一主コンピュータ２と第二主コンピュータ３に接続可能な特徴を有するポイントツーポイントファイル伝送装置。
【請求項１３】
前記ネットワーク通信ポートのコードは１から６５５３５の間であることを特徴とする請求項１２記載のポイントツーポイントファイル伝送装置。
【請求項１４】
使用者は前記第一主コンピュータ２を使用するときは、前記第一操作装置２２を利用しドラグ方式により、前記第一表示装置２１から移動またはコピーされるファイルを前記第一表示装置２１画面の域外にドラグすることにより、ファイルを前記第二主コンピュータ３に移動またはコピーできることを特徴とする請求項１２記載のポイントツーポイントファイル伝送装置。
【請求項１５】
使用者は前記第一主コンピュータ２を使用するときは、前記ネットワーク伝送応用プログラムＡＰを利用し、前記第一表示装置２１の画面より前記第二主コンピュータ３既設のデスクトップウインドウを開き、前記第一主コンピュータ２に格納されたファイルとデータを既設のデスクトップウインドウに移動またはコピーすることにより、前記第二主コンピュータ３に移動またはコピーできることを特徴とする請求項１２記載のポイントツーポイントファイル伝送装置。
【請求項１６】
使用者は前記第一主コンピュータ２を使用するときは、前記ネットワーク伝送応用プログラムＡＰを利用し、前記第一表示装置２１の画面より前記第二主コンピュータ３のファイルマネージャウインドウを開き、前記第一主コンピュータ２に格納されたファイルとデータをファイルマネージャウインドウに移動またはコピーすることにより、係るファイルを前記第二主コンピュータ３に移動またはコピーできることを特徴とする請求項１２記載のポイントツーポイントファイル伝送装置。
【請求項１７】
使用者は前記第二主コンピュータ３を使用するときは、前記第二操作装置３２を利用し前記第二表示装置３１からドラグ方式により、移動またはコピーされるファイルを前記第二表示装置３１画面の域外にドラグすることにより、係るファイルを前記第一主コンピュータ２に移動またはコピーできることを特徴とする請求項１２記載のポイントツーポイントファイル伝送装置。
【請求項１８】
使用者は前記第二主コンピュータ２を使用するときは、前記ネットワーク伝送応用プログラムＡＰを利用し、前記第二表示装置３１の画面より前記第一主コンピュータ２既設のデスクトップウインドウを開き、前記第二主コンピュータ３に格納されたファイルとデータを既設のデスクトップウインドウに移動またはコピーすることにより、係るファイルは前記第一主コンピュータ２に移動またはコピーできることを特徴とする請求項１２記載のポイントツーポイントファイル伝送装置。
【請求項１９】
使用者は前記第一主コンピュータ２を使用するときは、前記ネットワーク伝送応用プログラムＡＰを利用し、前記第二表示装置３１の画面より前記第一主コンピュータ２のファイルマネージャウインドウを開き、前記第一主コンピュータ２に格納されたファイルとデータをファイルマネージャウインドウに移動またはコピーすることにより、係るファイルを前記第一主コンピュータ２に移動またはコピーすることができることを特徴とする請求項１２記載のポイントツーポイントファイル伝送装置。
【請求項２０】
前記第一主コンピュータはデスクトップ主コンピュータ、ノートブックコンピュータまたはサブノードブックコンピュータであることを特徴とする請求項１２記載のポイントツーポイントファイル伝送装置。
【請求項２１】
前記第二主コンピュータはデスクトップ主コンピュータ、ノートブックコンピュータまたはサブノードブックコンピュータであることを特徴とする請求項１２記載のポイントツーポイントファイル伝送装置。
【請求項２２】
ステップ（１）
第一表示装置２１と第一操作装置２２を備える第一主コンピュータ２を電気的に接続されるポイントツーポイントファイル伝送装置１と、第二表示装置３１と第二操作装置３２とを備える第二主コンピュータ３を電気的に接続されるポイントツーポイントファイル伝送装置１とを備え、
ステップ（２）
マイクロプロセッシングユニット１３よりすべての主コンピュータにネットワーク伝送応用プログラムＡＰを導入されているかをチェックし、導入されているときは、ステップ（４）を実行し、導入されていないときは、ステップ（３）へ進み、
ステップ（３）
前記ネットワーク伝送応用プログラムＡＰを導入されていない主コンピュータに導入させ、ステップ（２）を繰返して実行され、
ステップ（４）
前記第一主コンピュータ２と前記第二主コンピュータ３に導入された前記ネットワーク伝送応用プログラムＡＰを実行し、
ステップ（５）
特定なネットワーク通信ポートを備えるネットワーク伝送チャンネルを前記第一主コンピュータ２と前記第二主コンピュータ３との間に構築させ、
ステップ（６）
前記ネットワーク伝送応用プログラムＡＰより自動に前記第一主コンピュータ２と前記第二主コンピュータ３のネットワークアドレスとネットワーク通信ポートのコードをアクセスさせ、
ステップ（７）
前記第一主コンピュータ２に格納されたファイルとデータを前記第二主コンピュータ３に移動またはコピーされているかを判断し、移動またはコピーされているときは、ステップ（８）を実行、移動またはコピーされていないときは、ステップ（９）を実行、
ステップ（８）
ネットワーク伝送チャンネルにより前記第一主コンピュータ２に格納されたファイルとデータを前記第二主コンピュータ３に移動またはコピーさせ、
ステップ（９）
前記第二主コンピュータ３に格納されたファイルとデータを前記第一主コンピュータ２に移動またはコピーされているかを判断し、移動またはコピーされているときは、ステップ（１０）を実行、移動またはコピーされていないときは、ステップ（１１）を実行、
ステップ（１０）
ネットワーク伝送チャンネルにより前記第二主コンピュータ３に格納されたファイルとデータを前記第一主コンピュータ２に移動またはコピーさせ、
ステップ（１１）
すべてのファイルの移動とコピーを完了したかを判断し、完了したときは、このステップを終了、完了していないときは、ステップ（７）を実行することを特徴とするファイル伝送方式。
【請求項２３】
ステップ（８１）
前記第一操作装置２２を使用し前記第一表示装置２１から移動またはコピーされるファイルのドラグ操作を行い、
ステップ（８２）
移動またはコピーされるファイルを引き続き、前記第一表示装置２１画面の域外にドラグさせ、
ステップ（８３）
前記ファイルを前記第二主コンピュータ３に移動またはコピーことを特徴とする請求項２２記載のファイル伝送方式。
【請求項２４】
ステップ（８１ａ）
前記ネットワーク伝送応用プログラムＡＰにより、前記第一表示装置２１の画面から前記第二主コンピュータ３既設のデスクトップウインドウを開き、
ステップ（８２ａ）
前記第一主コンピュータ２に格納されたファイルとデータを既設のデスクトップウインドウに移動またはコピーさせ、
ステップ（８３ａ）
前記ファイルは前記第二主コンピュータ３に移動またはコピーされる詳細のステップをステップ（８）にさらに含むことを特徴とする請求項２２記載のファイル伝送方式。
【請求項２５】
ステップ（８１ｂ）
前記ネットワーク伝送応用プログラムＡＰにより、前記第一表示装置２１の画面から前記第二主コンピュータ３既設のファイルマネージャウインドウを開き、
ステップ（８２ｂ）
前記第一主コンピュータ２に格納されたファイルとデータをファイルマネージャウインドウに移動またはコピーさせ、
ステップ（８３ｂ）
前記ファイルは前記第二主コンピュータ３に移動またはコピーされる詳細のステップをステップ（８）にさらに含むことを特徴とする請求項２２記載のファイル伝送方式。
【発明の詳細な説明】
【技術分野】
【０００１】
本発明は一種のコンピュータ間のファイル伝送装置に関し、特に一種の複数のコンピュータ間にファイル共有とデータ交換のネットワーク伝送チャンネルを構築できるポイントツーポイントファイル伝送装置及びそのファイルの伝送方法に関する。
【背景技術】
【０００２】
コンピュータ間のファイル共有とデータ交換の方法は多く存在しており、一台のＡコンピュータと一台のＢコンピュータが同じコンピュータグループに属され、たとえば、事務所のコンピュータグループまたは研究室のコンピュータグループなどのとき、イントラネットによって、ＡコンピュータとＢコンピュータにネットワーク伝送チャンネルを構築すれば、このネットワーク伝送チャンネルを通じて、ファイル共有とデータ交換の目的を達成できる。
【０００３】
図１Ａと１Ｂ、イントラネットによるファイル共有方法のフロー図を参照する。図１Ａと図１Ｂに示すように、イントラネットでファイル共有は以下の設定ステップが必要である。
【発明の概要】
【発明が解決しようとする課題】
【０００４】
まず、ステップ（１０１）、マイネットワークを開いた後、ステップ（１０２）、Ａコンピュータの検索を行い、ステップ（１０３）、Ａコンピュータを検出されたか否かを判断し、見つかった場合は、ステップ（１０４）、Ａコンピュータに接続する。Ａコンピュータに接続するには、ユーザーアカウントとパスワードを入力する必要がある。ステップ（１０５）、ユーザー権限の確認を行い、（１０６）、ユーザーアカウントとパスワードが正しいか否かを判断し、正しいときは、ステップ（１０７）を実行し、Ａコンピュータへのログインが成功する。ステップ（１０８）、Ａコンピュータからファイル共有のフォルダを検出された後、続いてステップ（１０９）、ファイル共有とデータ交換を実行する。しかし、ステップ（１０６）、ユーザーアカウントとパスワードの入力に間違いがあれば、接続は失敗に終わり、ステップ（１０Ａ）が実行され、Ａコンピュータにログインすることはできない。このほか、前述ステップ（１０３）、Ａコンピュータを検出されたか否かの判断において、検出されなかったときは、Ａコンピュータはネットワークのマイネットワークグループに含まれないことを意味し、ステップ（１０Ａ）が実行され、Ａコンピュータに接続することはできない。
【０００５】
前記イントラネットによるファイル共有の手段は、コンピュータ名とＩＰアドレス検索することによりＡコンピュータを検出することができる。このほか、ファイル共有のフォルダを設定するとき、ファイル共有のモードは読み書き可能に設定する必要がある。しかし、前述ステップとファイル共有の設定から明かのように、イントラネットによるファイル共有のステップは極めて複雑であり、一般のコンピュータユーザーは簡単にこの方法を利用しファイル共有とデータ交換することはできない。
【０００６】
これを鑑みて、もう一種のホストサーバーを利用したファイル共有とデータ交換の手段が提案されている。図２、ホストサーバー経由によるファイル共有の構造図を参照する。図２に示すとおり、Ａコンピュータ１’はたとえば、ファイル転送プロトコル（Ｆｉｌｅ  Ｔｒａｎｓｆｅｒ  Ｐｒｏｔｏｃｏｌ，  ＦＴＰ）またはＥ−ＭＡＩＬなど特定のネットワーク伝送手段により、ファイルデータをホストサーバー２’にアップロードすれば、Ｂコンピュータ３’よりネットワークを介してホストサーバー２’への接続およびファイルデータをダウンロードすることができる。ホストサーバーによるファイル共有は比較的簡単な方式であるが、最大の欠点はＡコンピュータとＢコンピュータを順番にホストサーバーにログインしなければ、それぞれファイルデータのアップロードとダウンロードを実行することはできない。
【０００７】
このほか、コンピュータのインスタントメッセージ（Ｉｎｓｔａｎｔ  Ｍｅｓｓａｇｉｎｇ，  ＩＭ）ソフトウェアの高速発展により、ユーザーはこのインスタントメッセージソフトウェアによって構築されたネットワーク伝送チャンネルを介して、ＡコンピュータとＢコンピュータの間でファイル共有とデータ交換することができる。しかし、インスタントメッセージソフトウェアを介して、ファイルデータの伝送には、ＡコンピュータとＢコンピュータのインスタントメッセージソフトウェアに、それぞれアカウントを登録して置き、異なる２つのアカウントのインスタントメッセージを構築してから、ファイルデータを伝送することができる。
【課題を解決するための手段】
【０００８】
公知技術におけるネットワーク伝送チャンネルによるファイル共有とデータ交換の方法はなお多くの欠点と不足に鑑みて、発明者は鋭意に研究創作し本発明のポイントツーポイントファイル伝送装置及びそのファイルの伝送方法を発明しました。
【０００９】
本発明の第一目的は、一種のポイントツーポイントファイル伝送装置を提供し、ユーザーは複雑な設定プロセスを必要なく、一つのネットワーク伝送応用プログラムにより、第一主コンピュータと第二主コンピュータの間でネットワーク伝送チャンネルを構築した後、このネットワーク伝送チャンネルにより、第一主コンピュータと第二主コンピュータの間でファイル共有とデータ交換することができる。
【００１０】
本発明の第二目的は、一種のポイントツーポイントファイル伝送装置を提供し、ユーザーは複雑な設定プロセスを必要なく、一つのネットワーク伝送応用プログラムにより、第一主コンピュータと第二主コンピュータの間でネットワーク伝送チャンネルを構築した後、ユーザーはこのネットワーク伝送チャンネルから無線伝送方式により、第一主コンピュータと第二主コンピュータの間でファイル共有とデータ交換することができる。
【００１１】
本発明の第三目的は、一種のファイルの伝送方法を提供し、ポイントツーポイントファイル伝送装置に接続された第一主コンピュータと第二主コンピュータとの間にファイル共有とデータ交換のネットワーク伝送チャンネルを構築することにより、第一主コンピュータのファイルはこのネットワーク伝送チャンネルから第二主コンピュータに移動またはコピーあるいはネットワーク伝送チャンネルにより、第一主コンピュータに移動またはコピーすることができる。
【００１２】
本発明の第一目的を達成するため、発明者は第一主コンピュータと第二主コンピュータを含む複数の主コンピュータに接続することができる一種のポイントツーポイントファイル伝送装置を提供する。主に、少なくとも一つの第一ＵＳＢ接続ユニット、少なくとも一つの第二ＵＳＢ接続ユニット、少なくとも一つのマイクロプロセッシングユニットとネットワーク伝送応用プログラムとを備える。
【００１３】
第一ＵＳＢ接続ユニットを第一表示装置と第一操作装置を備える第一主コンピュータに電気的に接続し、第二ＵＳＢ接続ユニットは第二表示装置と第二操作装置を備える第二主コンピュータに電気的に接続する。マイクロプロセッシングユニットを第一ＵＳＢ接続ユニットと第二ＵＳＢ接続ユニットに連結する。ネットワーク伝送応用プログラムはそれぞれ第一主コンピュータと第二主コンピュータに導入して置く。これにより、ネットワーク伝送応用プログラムにより、ファイル共有とデータ交換のネットワーク伝送チャンネルを第一主コンピュータと第二主コンピュータの間に構築される。引き続き、ユーザーは第一主コンピュータに格納されたファイルとデータを第二主コンピュータに移動またはコピーすることができるほか、第二主コンピュータに格納されたファイルとデータを第一主コンピュータに移動またはコピーすることができる。このほか、ネットワーク伝送応用プログラムに設定されたネットワーク伝送チャンネルは特定なネットワーク通信ポートを有し、ネットワーク通信ポートに特定なコードを有する。これにより、ネットワーク伝送応用プログラムを導入された第一主コンピュータと第二主コンピュータ以外の外部主コンピュータは、このネットワーク通信ポートより第一主コンピュータまたは第二主コンピュータにファイルの移動またはコピーすることはできない。
【００１４】
本発明の第二目的を達成するため、発明者は第一主コンピュータと第二主コンピュータを含める複数の主コンピュータに接続することができるポイントツーポイントファイル伝送装置をさらに提供する。ポイントツーポイントファイル伝送装置は主にネットワーク伝送応用プログラム、少なくとも一つの第一接続モジュールと少なくとも一つの第二接続モジュールとを備える。そのうち、ネットワーク伝送応用プログラムはそれぞれ第一主コンピュータと第二主コンピュータに導入して置く。このネットワーク伝送応用プログラムにより、ファイル共有とデータ交換のネットワーク伝送チャンネルは第一主コンピュータと第二主コンピュータとの間に構築される。
【００１５】
第一接続モジュールは第一表示装置と第一操作装置を備えた第一主コンピュータに電気的に接続でき、かつ、第一接続モジュールは第一主コンピュータに格納されたファイルをネットワーク伝送チャンネル経由し無線伝送方式により伝送することができる。第一接続モジュールは第一主コンピュータに電気的接続され、第一主コンピュータが伝送されるファイルを受信する第一ＵＳＢ接続ユニット、第一ＵＳＢ接続ユニットに連結された第一マイクロプロセッシングユニットと第一マイクロプロセッシングユニットに連結された第一無線伝送ユニットとを備える。そのうち、第一主コンピュータが伝送するファイルは第一マイクロプロセッシングユニットより第一無線伝送ユニットに伝送した上、第一無線伝送ユニットは無線通信方式によりファイルを伝送する。
【００１６】
第二接続モジュールは第二主コンピュータに電気的に接続され、無線通信方式により、第一接続モジュールから伝送されたファイルを受信できる。第二接続モジュールは主に第二主コンピュータに電気的接続された第二ＵＳＢ接続ユニット、第二ＵＳＢ接続ユニットに連結された第二マイクロプロセッシングユニットと第二マイクロプロセッシングユニットに連結された第二無線伝送ユニットとを備える。そのうち、第二無線伝送ユニットは無線通信方式により、第一接続モジュールが伝送されるファイルを受信し、ファイルを第二マイクロプロセッシングユニットに伝送する。第二マイクロプロセッシングユニットは第二ＵＳＢ接続ユニットからファイルを第二主コンピュータに伝送される。
【００１７】
本発明のネットワーク伝送チャンネルは、特定なネットワーク通信ポ―トをさらに有し、ネットワーク通信ポートは特定なコードを有する。第一主コンピュータと第二主コンピュータを起動されると、ネットワーク伝送応用プログラムは第一主コンピュータと第二主コンピュータのネットワークアドレスとネットワーク通信ポートのコードを自動にアクセスすることにより、ネットワーク伝送チャンネルは第一主コンピュータと第二主コンピュータとの間に構築される。
【００１８】
最後に発明者は本発明の第三目的を達成するため、一種のポイントツーポイントファイル伝送装置によるファイルの伝送方法を提供する。主にステップ（１）、第一表示装置と第一操作装置を備える第一主コンピュータをポイントツーポイントファイル伝送装置に連結し、第二表示装置と第二操作装置を備える第二主コンピュータをポイントツーポイントファイル伝送装置に連結する。ステップ（２）、マイクロプロセッシングユニットよりすべての主コンピュータともネットワーク伝送応用プログラムを導入されているかをチェックし、導入されているとき、ステップ（４）は実行される。導入されていないときは、ステップ（３）が実行される。ステップ（３）、ネットワーク伝送応用プログラムを導入されていない主コンピュータに導入させ、ステップ（２）の実行を繰り返す。ステップ（４）、第一主コンピュータと第二主コンピュータに導入されたネットワーク伝送応用プログラムを実行し、ステップ（５）、第一主コンピュータと第二主コンピュータの間に特定なネットワーク通信ポートを備えるネットワーク伝送チャンネルを構築する。ステップ（６）、ネットワーク伝送応用プログラムより第一主コンピュータと第二主コンピュータのネットワークアドレスとネットワーク通信ポートのコードを自動的にアクセスし、ステップ（７）、第一主コンピュータに格納されたファイルを第二主コンピュータへ自動にコピーされているかの判断を行い、コピーされていたときは、ステップ（８）を実行し、コピーされていないとき、ステップ（９）を実行する。ステップ（８）ネットワーク通信チャンネルより自動に、第一主コンピュータのファイルを第二主コンピュータに移動またはコピーする。ステップ（９）、第二主コンピュータに格納されたファイルを第二主コンピュータにコピーされているかをチェックし、コピーされていれば、ステップ（１０）を実行し、コピーされていないときは、ステップ（１１）が実行される。ステップ（１０）、ネットワーク伝送チャンネルから第二主コンピュータのファイルを第一主コンピュータにコピーした上、ステップ（１１）、すべてのファイルの移動とコピーを完了したかを判断し、コピー完了であれば、ステップ（７）が実行される。
【発明の効果】
【００１９】
本発明のポイントツーポイントファイル伝送装置の実施例および本発明のポイントツーポイントファイル伝送装置によるファイルの伝送方法は以下のとおりすべて開示されており、以下の説明から本発明は以下の長所を有することが分かる。
【００２０】
イ、            ポイントツーポイントファイル伝送装置は選択により、ファイル伝送装置またはＫＶＭ装置として扱うことができる。
【００２１】
ロ、            使用者は本発明のポイントツーポイントファイル伝送装置を適用すれば、複雑な設定プロセスを要せず、一つのネットワーク伝送応用プログラムのみで、複数の主コンピュータの間にネットワーク伝送チャンネルを構築でき、このネットワーク伝送チャンネルにより複数の主コンピュータでファイル共有とデータ交換することができる。
【００２２】
ハ、            本発明のポイントツーポイントファイル伝送装置は無線方式により、ネットワーク伝送チャンネルを介して、複数の主コンピュータの間にファイル共有とデータ交換を実現できる。これにより、主コンピュータとポイントツーポイントファイル伝送装置に接続するケーブルを長く引かれてケーブルの反りを防止できる。
【００２３】
前記した詳細説明は、本発明の好ましい実施例について説明するものである。ただし、該実施例は本発明になんらの制限を加わるものではない。本発明の技術精神に基づく等効果の応用又は変更は、すべて本発明の特許請求範疇に含まれる。
【図面の簡単な説明】
【００２４】
【図１Ａ】イントラネットを使用したファイルを共有する方法のフロー図である。
【図１Ｂ】イントラネットを使用したファイルを共有する方法のフロー図である。
【図２】ホストサーバーを使用したファイルを共有する構造図である。
【図３】本発明のポイントツーポイントファイル伝送装置実施例１の構造図である。
【図４】ポイントツーポイントファイル伝送装置実施例１の構造図である。
【図５】本発明のポイントツーポイントファイル伝送装置実施例２の構造図である。
【図６】本発明のポイントツーポイントファイル伝送装置実施例３の構造図である。
【図７】本発明のポイントツーポイントファイル伝送装置実施例４の構造図である。
【図８】本発明のポイントツーポイントファイル伝送装置実施例５の構造図である。
【図９】ポイントツーポイントファイル伝送装置実施例５の構造図である。
【図１０】本発明のポイントツーポイントファイル伝送装置実施例６の構造図である。
【図１１Ａ】本発明一つのファイルの伝送方法のフロー図である。
【図１１Ｂ】本発明一つのファイルの伝送方法のフロー図である。
【図１１Ｃ】本発明一つのファイルの伝送方法のフロー図である。
【図１２】ステップ（８０８）の詳細ステップフロー図（その１）である。
【図１３】ステップ（８０８）の詳細ステップフロー図（その２）である。
【図１４】ステップ（８０８）の詳細ステップフロー図（その３）である。
【発明を実施するための形態】
【００２５】
本発明のポイントツーポイントファイル伝送装置及びそのファイルの伝送方法にさらなるの理解を図るため、以下に図面と合わせて本発明の好ましい実施例を詳細する。
【実施例】
【００２６】
図３と４、本発明のポイントツーポイントファイル伝送装置実施例１の構造図を参照する。図３に示すように、本発明のポイントツーポイントファイル伝送装置１は第一主コンピュータ２と第二主コンピュータ３に接続することができ、主に第一ＵＳＢ接続ユニット１１、第二ＵＳＢ接続ユニット１２、マイクロプロセッシングユニット１３とネットワーク伝送応用プログラムＡＰとを備える。
【００２７】
ポイントツーポイントファイル伝送装置１の実施例１において、第一ＵＳＢ接続ユニット１１は第一表示装置２１と第一操作装置２２を備える第一主コンピュータ２に電気的に接続されており、第二ＵＳＢ接続ユニット１２は第二表示装置３１と第二操作装置３２を備える第二主コンピュータ３に電気的に接続されている。そのうち、第一主コンピュータ２と第二主コンピュータ３はたとえば、デスクトップ主コンピュータ、ノートブックコンピュータまたはサブノードブックコンピュータであり、第一操作装置２２と第二操作装置３２はキーボードとマウスセットである。
【００２８】
マイクロプロセッシングユニット１３は第一ＵＳＢ接続ユニット１１と第二ＵＳＢ接続ユニット１２に連結されている。ネットワーク伝送応用プログラムＡＰはそれぞれ第一主コンピュータ２と第二主コンピュータ３に導入されており、ネットワーク伝送応用プログラムＡＰにより、ファイル共有とデータ交換のネットワーク通信チャンネルを第一主コンピュータ２と第二主コンピュータ３との間に構築することができる。ネットワーク伝送応用プログラムＡＰとネットワーク通信チャンネルにより、使用者は第一主コンピュータ２に格納されたファイルとデータを第二主コンピュータ３に移動またはコピーすることができるほか、第二主コンピュータ３に格納されたファイルとデータを第一主コンピュータ２に移動またはコピーすることができる。このほか、ネットワーク通信チャンネルは特定なネットワーク通信ポートを有し、この特定なネットワーク通信ポートに特定なコードを有する。そのうち、ネットワーク通信制御プロトコル（Ｔｒａｎｓｍｉｓｓｉｏｎ  Ｃｏｎｔｒｏｌ  Ｐｒｏｔｏｃｏｌ，  ＴＣＰ）の数に同数であり、ネットワーク通信ポートのコードは１から６５５３５の間である。
【００２９】
ポイントツーポイントファイル伝送装置１実施例１の構造は以上説明のとおりであるが、本発明のポイントツーポイントファイル伝送装置１の主な特徴と機能を説明する。図３に示すポイントツーポイントファイル伝送装置１実施例１において、ネットワーク伝送応用プログラムＡＰを導入された第一主コンピュータ２と第二主コンピュータ３を起動されると、ネットワーク伝送応用プログラムＡＰより第一主コンピュータ２と第二主コンピュータ３のネットワークアドレス（ＩＰ）とネットワーク通信ポートのコードは自動的にアクセスされ、密閉形のネットワーク伝送チャンネルは第一主コンピュータ２と第二主コンピュータ３との間に構築される。このほか、ネットワーク通信ポートのコードを編集することにより、外部ほかの主コンピュータがこのネットワーク伝送チャンネルより第一主コンピュータ２と第二主コンピュータ３にファイルの移動またはコピーを防止することができる。
【００３０】
使用者は第一主コンピュータ２を利用するとき、以下に示す三つのファイル伝送方式のいずれかにより、第一主コンピュータ２に格納されたファイルとデータを第二主コンピュータ３に移動またはコピーすることができる。
【００３１】
イ、            ファイルドラグ方式、使用者は第一操作装置２２を利用しドラグ方式により、第一表示装置２１から、移動またはコピーされるファイルを第一表示装置２１画面の域外にドラグすることにより、ファイルを第二主コンピュータ３に移動またはコピーすることができる。
【００３２】
ロ、            既定のデスクトップウインドウを開く。使用者はネットワーク伝送応用プログラムＡＰを利用し、第一表示装置２１の画面より第二主コンピュータ３に備える既定のデスクトップウインドウを開き、第一主コンピュータ２に格納されたファイルとデータを既設のデスクトップウインドウに移動またはコピーすることにより、係るファイルを第二主コンピュータ３に移動またはコピーすることができる。
【００３３】
ハ、            既定のデスクトップウインドウを開く。使用者はネットワーク伝送応用プログラムＡＰを利用し、第一表示装置２１の画面より第二主コンピュータ３に備えるファイルマネージャウインドウを開き、第一主コンピュータ２に格納されたファイルとデータをファイルマネージャウインドウに移動またはコピーすることにより、ファイルは第二主コンピュータ３に移動またはコピーされる。
【００３４】
当然ながら、使用者が第二主コンピュータ３を使用しているときも前述三つの方式を利用し、第二主コンピュータ３に格納されたファイルを第一主コンピュータ２に移動またはコピーすることができる。
【００３５】
引き続き図５、本発明のポイントツーポイントファイル伝送装置実施例２の構造図を参照する。図示のように、ポイントツーポイントファイル伝送装置１の実施例１に第三ＵＳＢ接続ユニット１４を追加することにより、ポイントツーポイントファイル伝送装置１の実施例２の構造が構築される。そのうち、第三ＵＳＢ接続ユニット１４はマイクロプロセッシングユニット１３に連結され、第三表示装置４１と第三操作装置４２を備える第三主コンピュータ４を第三ＵＳＢ接続ユニット１４に電気的接続されている。これにより、第一主コンピュータ２、第二主コンピュータ３と第三主コンピュータ４を起動されると、ネットワーク伝送応用プログラムＡＰは自動的に第一主コンピュータ２、第二主コンピュータ３と第三主コンピュータ４のネットワークアドレス（ＩＰ）およびネットワーク通信ポートのコードをアクセスされる。このように、ネットワーク伝送通信チャンネルはそれぞれ第一主コンピュータ２と第二主コンピュータ３との間、第一主コンピュータ２と第三主コンピュータ４との間、および第二主コンピュータ３と第三主コンピュータ４との間に構築される。このとき、前述三つのファイル伝送またはコピー方式により、使用者は第一主コンピュータ２または第二主コンピュータ３に格納されたファイルを第三主コンピュータ４に移動又はコピーすることができる。同じく、第三主コンピュータ４に格納されたファイルを第一主コンピュータ２または第二主コンピュータ３に移動又はコピーすることができる。
【００３６】
前述ポイントツーポイントファイル伝送装置１実施例１と実施例２の構造開示により、ＵＳＢ接続ユニットを拡張する方法を利用し、ポイントツーポイントファイル伝送装置１を複数の主コンピュータにおいて、複数の主コンピュータに相互接続する複数のネットワーク伝送チャンネルを構築でき、複数の主コンピュータはこのネットワーク伝送チャンネル経由して、ファイルとデータを相互に伝送することができる。しかし、ポイントツーポイントファイル伝送装置１が同時に複数の主コンピュータに接続するとき、ファイルとデータ伝送効率への影響を避けるため、マイクロプロセッシングユニット１３の数の増加を考慮しなければならない。引き続き図６、本発明のポイントツーポイントファイル伝送装置実施例３の構造図を参照する。図示のように、ポイントツーポイントファイル伝送装置１の実施例１に第二マイクロプロセッシングユニット１３Ｂを追加することにより、ポイントツーポイントファイル伝送装置１の実施例３の構造が構築される。
【００３７】
図６、ポイントツーポイントファイル伝送装置１実施例３を参照する。使用者は第一主コンピュータ２に格納されたファイルを第二主コンピュータ３に移動するとき、ファイルをまずマイクロプロセッシングユニット１３に伝送され、第二マイクロプロセッシングユニット１３Ｂより第二主コンピュータ３に伝送される。このようなやり方は一つのマイクロプロセッシングユニットが同時に２つの主コンピュータと通信することにより、マイクロプロセッシングユニットの処理を軽減する。
【００３８】
このほか、本発明のポイントツーポイントファイル伝送装置はＫＶＭとして使用することができる。引き続き図７、本発明のポイントツーポイントファイル伝送装置実施例４の構造図を参照する。図示のように、ポイントツーポイントファイル伝送装置１の実施例１にビデオ接続ユニット１５、マウス接続ユニット１６およびキーボード接続ユニット１７を追加することにより、ポイントツーポイントファイル伝送装置１の実施例４の構造が構築される。実施例４によるポイントツーポイントファイル伝送装置１の構造において、マウス接続ユニット１６およびキーボード接続ユニット１７をすべてマイクロプロセッシングユニット１３に連結され、共用の表示装置１５１をビデオ接続ユニット１５に電気的に接続され、共用のマウス装置１６１をマウス接続ユニット１６に電気的に接続され、共用のキーボード装置１７１はキーボード接続ユニット１７に電気的に接続されている。これにより、使用者は共用のマウス装置１６１および共用のキーボード装置１７１を使用している間は、同時に第一主コンピュータ２と第二主コンピュータ３を制御できるほか、ネットワーク伝送チャンネルから、それぞれ第一主コンピュータ２と第二主コンピュータ３にファイルまたはデータを移動することができる。
【００３９】
さらに、第一主コンピュータ２と第二主コンピュータ３との間に一定の距離を有するとき、第一主コンピュータ２、第二主コンピュータ３とポイントツーポイントファイル伝送装置１のケーブルを長く引かれて反りの発生を防止するため、本発明はポイントツーポイントファイル伝送装置実施例５をさらに提供する。図８と９、本発明のポイントツーポイントファイル伝送装置実施例５の構造図を参照する。図８に示すように、本発明のポイントツーポイントファイル伝送装置１実施例５は主にネットワーク伝送応用プログラムＡＰ、第一接続モジュール１０と第二接続モジュール２０とを備える。そのうち、実施例１と同様に、ポイントツーポイントファイル伝送装置１実施例５において、ネットワーク伝送応用プログラムＡＰはそれぞれ第一主コンピュータ２と第二主コンピュータ３に導入され、ネットワーク伝送応用プログラムＡＰにより、ファイル共有とデータ交換おネットワーク伝送チャンネルを第一主コンピュータ２と第二主コンピュータ３との間に構築される。
【００４０】
第一接続モジュール１０は第一表示装置２１と第一操作装置２２を備えた第一主コンピュータ２に電気的に接続でき、かつ、第一接続モジュールは１０第一主コンピュータ２に格納されたファイルをネットワーク伝送チャンネル経由し無線伝送方式により伝送することができる。第一接続モジュール１０は主に第一主コンピュータ２に電気的接続され、第一主コンピュータ２が伝送されるファイルを受信する。第一ＵＳＢ接続ユニット１０１に連結される第一マイクロプロセッシングユニット１０２と第一マイクロプロセッシングユニット１０２に連結された第一無線伝送ユニット１０３、とを備える。そのうち、第一主コンピュータ２が伝送するファイルは第一マイクロプロセッシングユニット１０２より第一無線伝送ユニット１０３に伝送した上、第一無線伝送ユニット１０３は無線通信方式によりファイルを伝送する。
【００４１】
第二接続モジュール２０は第二主コンピュータ３に電気的に接続され、無線通信方式により、第一接続モジュール１０より伝送されたファイルを受信できる。第二接続モジュール２０は主に第二主コンピュータ３に電気的接続された第二ＵＳＢ接続ユニット２０３、第二ＵＳＢ接続ユニット２０３に連結された第二マイクロプロセッシングユニット２０２と第二マイクロプロセッシングユニット２０２に連結された第二無線伝送ユニット２０１とを備える。そのうち、第二無線伝送ユニット２０１は無線通信方式により、第一無線伝送ユニット１０３が伝送されるファイルを受信し、ファイルを第二マイクロプロセッシングユニット２０２に伝送した上、第二マイクロプロセッシングユニット２０２は第二ＵＳＢ接続ユニット２０３よりファイルを第二主コンピュータ３に伝送される。
【００４２】
実施例１に比べ、ポイントツーポイントファイル伝送装置１実施例５において、ネットワーク伝送チャンネルは同じく特定なネットワーク通信ポートを備え、ネットワーク通信ポートに特定のコードを有し、コードは１から６５５３５の間である。さらに、第一主コンピュータ２と第二主コンピュータ３を起動されると、ネットワーク伝送応用プログラムＡＰが自動に第一主コンピュータ２と第二主コンピュータ３のネットワークアドレス（ＩＰ）とネットワーク通信ポートのコードのアクセスすることにより、ネットワーク伝送チャンネルは第一主コンピュータ２と第二主コンピュータ３との間に構築される。このほか、使用者は同じく前述三つのファイル移動またはコピー方式により、第一主コンピュータ２に格納されたファイルを第二主コンピュータ３に移動またはコピーし、第二主コンピュータ３に格納されたファイルを第一主コンピュータ２に移動またはコピーすることができる。
【００４３】
引き続き図１０、本発明のポイントツーポイントファイル伝送装置実施例６の構造図を参照する。図示のように、ポイントツーポイントファイル伝送装置１の実施例５に第二接続モジュール２０を追加することにより、ポイントツーポイントファイル伝送装置１の実施例６の構造を構築される。そのうち、増設される第二接続モジュール２０は第三表示装置４１と第三操作装置４２を備える第三主コンピュータ４に接続されている。これにより、第一主コンピュータ２、第二主コンピュータ３と第三主コンピュータ４を起動されると、ネットワーク伝送応用プログラムＡＰは自動的に第一主コンピュータ２、第二主コンピュータ３と第三主コンピュータ４のネットワークアドレス（ＩＰ）およびネットワーク通信ポートのコードをアクセスされる。このように、ネットワーク伝送通信チャンネルはそれぞれ第一主コンピュータ２と第二主コンピュータ３との間、第一主コンピュータ２と第三主コンピュータ４との間、および第二主コンピュータ３と第三主コンピュータ４との間に構築される。このとき、前述三つのファイル伝送またはコピー方式により、使用者は第一主コンピュータ２または第二主コンピュータ３に格納されたファイルを第三主コンピュータ４に移動又はコピーすることができる。同じく、第三主コンピュータ４に格納されたファイルを無線方式により、第一主コンピュータ２または第二主コンピュータ３に移動またはコピーすることができる。
【００４４】
このほか、本発明のポイントツーポイントファイル伝送装置１に適用するポイントツーポイントファイル伝送装置のファイル実行方法について、以下のとおり詳細説明する。図１１Ａ、１１Ｂ、１１Ｃ、本発明のポイントツーポイントファイル伝送装置のファイル実行方法のフロー図を参照する。図１１Ａ、１１Ｂ、１１Ｃに示すように、本発明のポイントツーポイントファイル伝送装置のファイル実行方法は、主に以下のステップを含む。
【００４５】
まず、ステップ（８０１）、第一表示装置２１と第一操作装置２２を備える第一主コンピュータ２をポイントツーポイントファイル伝送装置１に電気的に接続させ、第二表示装置３１と第二操作装置３２を備える第二主コンピュータ３をポイントツーポイントファイル伝送装置１に電気的接続させる。ポイントツーポイントファイル伝送装置１を介してファイルの伝送とデータ共有されるすべての主コンピュータをポイントツーポイントファイル伝送装置１に接続された後、ステップ（８０２）、マイクロプロセッシングユニット１３よりすべての主コンピュータにネットワーク伝送応用プログラムＡＰが導入されているか否かをチェックし、導入されているとき、ステップ（８０４）、第一主コンピュータ２と第二主コンピュータ３に導入されたネットワーク伝送応用プログラムＡＰを実行する。
【００４６】
第一主コンピュータ２と第二主機３に導入されたネットワーク伝送応用プログラムＡＰを実行された後、ステップ（８０５）は自動に実行され、特定なネットワーク通信ポートを備えるネットワーク伝送チャンネルを第一主コンピュータ２と第二主コンピュータ３との間に構築される。引き続き、ステップ（８０６）、ネットワーク伝送応用プログラムＡＰより自動に第一主コンピュータ２と第二主コンピュータ３のネットワークアドレスとネットワーク通信ポートのコードをアクセスされる。その後ステップ（８０７）、第一主コンピュータ２に格納されたファイルを第二主コンピュータ３に移動またはコピーするか否かを判断し、ファイルの移動またはコピーするときは、ステップ（８０８）、ネットワーク伝送チャンネルより第一主コンピュータ２に格納されたファイルを第二主コンピュータ３に移動またはコピーさせる。ファイルの移動またはコピーしないときは、直接にステップ（８０９）へ進む。
【００４７】
ステップ（８０８）の実行を完了した後、ステップ（８０９）に進み、第二主コンピュータ３に格納されたファイルを第一主コンピュータ２に移動またはコピーするか否かを判断し、ファイルの移動またはコピーするときは、ステップ（８１０）、ネットワーク伝送チャンネルより第二主コンピュータ３に格納されたファイルを第一主コンピュータ２に移動またはコピーさせる。ファイルの移動またはコピーしないときは、直接にステップ（８１１）へ進み、すべてのファイルの移動またはコピーを完了したか否かを判断し、完了したときは、このステップを終了する。
【００４８】
前述ステップ（８０２）において、マイクロプロセッシングユニット１３よりすべての主コンピュータにネットワーク伝送応用プログラムＡＰを導入されていないときは、ステップ（８０３）に進み、ネットワーク伝送応用プログラムＡＰを導入されていない主コンピュータに導入し、ステップ（８０２）を繰り返して実行される。さらに、ステップ（８１１）、すべてのファイルの移動またはコピーを完了していないときは、ステップ（８０７）より第一主コンピュータ２に格納されたファイルを第二主コンピュータ３に移動またはコピーさせる。もしくは第二主コンピュータ３に格納されたファイルを第一主コンピュータ２に移動またはコピーさせる。
【００４９】
特に説明することは、本発明のポイントツーポイントファイル伝送装置及びそのファイルの伝送方法は、図１２、ステップ（８０８）の詳細ステップフロー図（その１）を参照する。ステップ（８０８）はさらに以下の詳細ステップを含まれている。ステップ（８０８１）、第１操作装置２２により、第１表示装置２１において、所定のファイルをドラグまたは移動させる。ステップ（８０８２）、移動またはコピーしたいファイルをさらに第１表示装置２１画面の域外にドラグする。ステップ（８０８３）、ファイルを第２主コンピュータ３に移動またはコピーさせる。
【００５０】
本発明のポイントツーポイントファイル伝送装置及びそのファイルの伝送方法において、ステップ（８０８）は第２の詳細ステップをさらに備える。ステップ（８０８１ａ）、ネットワーク伝送応用プログラムＡＰにより、第１表示装置２１の画面より、第２主コンピュータ３の既設のデスクトップウインドウを開き、ステップ（８０８２ａ）、第１主コンピュータ２に格納されたファイルを既設のデスクトップウインドウに移動またはコピーする。最後に、ステップ（８０８３ａ）、ファイルは第２主コンピュータ３に移動またはコピーされる。
【００５１】
引き続き、さらに、図１３、ステップ（８０８）の詳細ステップフロー図（その２）を参照する。本発明のポイントツーポイントファイル伝送装置及びそのファイルの伝送方法において、ステップ（８０８）は第２の詳細ステップをさらに備える。ステップ（８０８１ａ）、ネットワーク伝送応用プログラムＡＰにより、第１表示装置２１の画面より、第２主コンピュータ３の既設のデスクトップウインドウを開き、ステップ（８０８２ａ）、第１主コンピュータ２に格納されたファイルを既設のデスクトップウインドウに移動またはコピーする。最後に、ステップ（８０８３ａ）、ファイルは第２主コンピュータ３に移動またはコピーされる。
【００５２】
本発明のポイントツーポイントファイル伝送装置の主な実施例および、本発明の本発明のポイントツーポイントファイル伝送装置によるファイル伝送の実行方法を詳細にわたり開示しており、前記説明より、本発明は以下の長所があることが分かる。
【００５３】
本発明のポイントツーポイントファイル伝送装置は選択により、ファイル伝送装置またはＫＶＭ装置として使用することができる。
【００５４】
特に説明することは、本発明のポイントツーポイントファイル伝送装置のファイル伝送実行方法は、ステップ（８０８）において、以下の三つの方式のいずれかを選択できる。
【００５５】
イ、            第一操作装置２２よりドラグ方式を使用し、第一表示装置２１において、第一主コンピュータ３より移動またはコピーされるファイルを第一表示装置２１画面の域外にドラグすることにより、ファイルを第二主コンピュータ３移動またはコピーさせる。
【００５６】
ロ、            ネットワーク伝送応用プログラムＡＰを利用し、第一表示装置２１の画面より第二主コンピュータ３に備える既定のデスクトップウインドウを開き、第一主コンピュータ２に格納されたファイルとデータを既定のデスクトップウインドウに移動またはコピーすることにより、ファイルは第二主コンピュータ３に移動またはコピーされる。
【００５７】
ハ、            ネットワーク伝送応用プログラムＡＰを利用し、第一表示装置２１の画面より第二主コンピュータ３に備えるファイルマネージャのウインドウを開き、第一主コンピュータ２に格納されたファイルとデータをファイルマネージャのウインドウに移動またはコピーすることにより、ファイルは第二主コンピュータ３に移動またはコピーされる。
【図１Ａ】
2012155585.tif 000003
【図１Ｂ】
2012155585.tif 000004
【図２】
2012155585.tif 000005
【図３】
2012155585.tif 000006
【図４】
2012155585.tif 000007
【図５】
2012155585.tif 000008
【図６】
2012155585.tif 000009
【図７】
2012155585.tif 000010
【図８】
2012155585.tif 000011
【図９】
2012155585.tif 000012
【図１０】
2012155585.tif 000013
【図１１Ａ】
2012155585.tif 000014
【図１１Ｂ】
2012155585.tif 000015
【図１１Ｃ】
2012155585.tif 000016
【図１２】
2012155585.tif 000017
【図１３】
2012155585.tif 000018
【図１４】
2012155585.tif 000019